(57)【特許請求の範囲】
【請求項１】
横型水中モータの回転軸にプロペラを嵌着し該プロペラの外周をガイドリングで囲繞してなる攪拌機を汚水処理槽内における支持体に支承させ、ガイドリングの口周部と回動自在に嵌合し回転軸と直交方向に吐出口を開口させたエルボ状の吐出ベンドを付設し、吐出口が下向き方向となるよう吐出ベンドを回動操作することにより汚水処理槽内攪拌のための下向き水流が発生し、吐出口が上向き方向となるよう吐出ベンドを回動操作することにより水面上のスカム拡散のための上向き水流が発生するよう構成したことを特徴とする、汚水処理槽内の攪拌装置。
【請求項２】
吐出口の外側一端の繋留して上導させた牽引具の牽引操作により吐出口が上向き方向となるよう吐出ベンドが回転し、牽引具の牽引を弛める操作により吐出口が下向き方向となるよう吐出ベンドが回動するよう構成したことを特徴とする、請求項１記載の汚水処理槽内の攪拌装置。
【発明の詳細な説明】
【０００１】
【発明の技術分野】
本発明は、汚水処理槽内の攪拌装置に関するものである。
【０００２】
【従来技術とその問題点】
汚水処理を行う反応槽では、攪拌処理工程においてスカムが発生し、水面上に浮上して層を形成する。そしてスカムの層に担体が補足されて攪拌が阻害されるため、汚水の処理効率は低下することになる。
【０００３】
その対策として従来は、図５に例示するようなシャワー式の消泡装置Ｓ１によりスカムを除去し、或いは図６に例示するようフロートで浮設させたポンプＳ２によってスカムを吸い取るなど、攪拌装置の他に専用の機器を別途設置する必要があり、そのための設置スペースを確保しなければならず、また、イニシャルコストおよびランニングコストを押し上げる要因にもなるのである。
【０００４】
【発明の目的】
本発明の目的は、スカム除去用の機器を別途設置することを要せず、攪拌装置自体にスカム堆積防止機能を有しており、担体を効率よく循環させて有効な汚水処理がローコストに行われる、汚水処理槽内の攪拌装置を提供することにある。
【０００５】
【発明の構成】
本発明に係る請求項１記載の汚水処理槽内の攪拌装置では、横型水中モータの回転軸にプロペラを嵌着し該プロペラの外周をガイドリングで囲繞してなる攪拌機を汚水処理槽内における支持体に支承させ、ガイドリングの口周部と回動自在に嵌合し回転軸と直交方向に吐出口を開口させたエルボ状の吐出ベンドを付設し、吐出口が下向き方向となるよう吐出ベンドを回動操作することにより汚水処理槽内攪拌のための下向き水流が発生し、吐出口が上向き方向となるよう吐出ベンドを回動操作することにより水面上のスカム拡散のための上向き水流が発生するよう構成した。また請求項２記載の発明では、請求項１記載の汚水処理槽内の攪拌装置を前提として、吐出口の外側一端に繋留して上導させた牽引具の牽引操作により吐出口が上向き方向となるよう吐出ベンドが回転し、牽引具の牽引を弛める操作により吐出口が下向き方向となるよう吐出ベンドが回動するよう構成した。
【０００６】
【作用】
吐出口が下向き状態の場合に横型水中モータを駆動させると、プロペラの回転により下向き水流が発生して汚水処理槽内を攪拌する、吐出口を上向きに反転させた状態で横型水中モータを駆動させると、プロペラの回転により上向き水流が発生し水面上のスカム拡散作用を生じて担体が循環し易い状態となる。そしてスカムを拡散させたのち再び吐出口を下向き状態に反転させると、プロペラによる下向き水流の発生で汚水処理槽内が攪拌される。このように上向き水流と下向き水流の交互発生により、担体を効率よく循環させて有効な汚水処理が行われることになる。
【０００７】
【実施例】
以下実施例の図１ないし図４により説明をする。
【０００８】
１は汚水処理槽内に立設されたガイドパイプ等の支持体、２は横型水中モータ３の回転軸４にプロペラ５を嵌着し該プロペラ５の外周をガイドリング６で囲繞してなる攪拌機であり、例えば横型水中モータ３の後方に付設された係合子７によりガイドパイプ等の支持体１と係合して支承され、吊下げチェーン８の操作によって昇降自在に構成される。９はガイドリング６の口周部と回動自在に嵌合し回転軸４と直交方向に吐出口１０を開口させたエルボ状の吐出ベンド、１１は吐出口１０の外側一帯に繋留して上導させたチェーンやロッド等の牽引具であり、該牽引具１１の牽引操作により吐出口１０が上向き方向となるよう吐出ベンド９が回転し、また牽引具１１の牽引を弛めれば重力の作用によって吐出口１０が下向き方向となるよう吐出ベンド９が回動する。しかし牽引具１１の操作によることなく、吊下げチェーン８の操作で攪拌機２を一旦水面上へ引き上げ、吐出ベンド９を直接回動させて吐出口１０の向きを変更させることも可能である。
【０００９】
吐出口１０が下向き方向となるよう吐出ベンド９を回動操作した図１および図２の状態において横型水中モータ３を駆動させると、プロペラ５の回転により下向き水流が発生して汚水処理槽内を攪拌する。また、吐出口１０を上向き方向となるよう吐出ベンド９を回動操作した図３および図４の状態では、上向水流が発生し水面上のスカム拡散作用を生じて担体が循環し易い状態となる。そしてスカムを拡散させたのち再び吐出口１０が下向き方向となるよう吐出ベンド９を回動操作した図１および図２の状態とすれば、下向き水流の発生により汚水処理槽内が攪拌される。このように上向き水流と下向き水流の交互発生により、担体を効率よく循環させて有効な汚水処理が行われるのであるが、前述の牽引具１１による吐出ベンド９の回動操作は、水面上の状態を視認することにより手動操作で行ってもよく、或いは自動操作により間欠的に行わせてもよい。
【００１０】
【発明の効果】
本発明汚水処理槽内の攪拌装置によれば、攪拌装置自体にスカム堆積防止機能を有しており、担体を効率よく循環させて有効な汚水処理が行われるため、従来のようなスカム除去用の機器を別途設置する必要がなく、イニシャルコストおよびランニングコストを著しく低減させ得るという利点がある。
【図面の簡単な説明】
【図１】  本発明に係る汚水処理槽内の攪拌装置の操作態様を例示した説明図であって、吐出口を下向き方向となるよう吐出ベンドを回動させた状態を示す。
【図２】  図１のＡ−Ａ線における縦断側面図である。
【図３】  本発明に係る汚水処理槽内の攪拌装置の設置態様を例示した説明図であって、吐出口が上向き方向となるよう吐出ベンドを回動させた状態を示す。
【図４】  図３のＢ−Ｂ線における縦断側面図である。
【図５】  従来における汚水処理槽内の攪拌装置の設置態様を例示した説明図であって、シャワー式の消泡装置を併設させた事例を示す。
【図６】  従来における汚水処理槽内の攪拌装置の設置態様を例示した説明図であって、浮設式ポンプによるスカム吸引装置を併設させた事例を示す。
【符号の説明】
１        支持体
２        攪拌機
３        横型水中モータ
４        回転軸
５        プロペラ
６        ガイドリング
９        吐出ベンド
１０      吐出口
１１      牽引具
【図１】
0004073664.tif 000002
【図２】
0004073664.tif 000003
【図３】
0004073664.tif 000004
【図４】
0004073664.tif 000005
【図５】
0004073664.tif 000006
【図６】
0004073664.tif 000007